(57)【要約】【課題】記録媒体が幅方向に引っ張られたときに記録媒体に生じた皺や弛みなどが凹部に引っ掛かるので記録媒体の幅方向への移動が規制されるので、紙ジャムや切断不良などが生じにくい。【解決手段】ロール状に巻き取られた記録媒体１１を引き出して記録する記録装置１であって、記録された前記記録媒体１１の排紙経路を形成する排紙ガイド部５０を備え、前記排紙ガイド部５０における前記記録媒体１１の紙面と対向する排紙ガイド面５１の排紙側端部５５には、凹部５２が設けられていることを特徴とする記録装置１を提供する。【選択図】図９
2011219271.tif 000002
【特許請求の範囲】
【請求項１】
ロール状に巻き取られた記録媒体を引き出して記録する記録装置であって、
記録された前記記録媒体の排紙経路を形成する排紙ガイド部を備え、
前記排紙ガイド部は、前記記録媒体の紙面と対向する排紙ガイド面を有し、
前記排紙ガイド面の排紙側端部には、凹部が設けられていることを特徴とする記録装置。
【請求項２】
前記凹部は、前記排紙側端部から前記排紙ガイド面の前記排紙経路に沿って延びる溝状に形成されていることを特徴とする請求項１に記載の記録装置。
【請求項３】
前記排紙側端部は、前記排紙経路に沿った方向と直交する方向の両側に切欠部を有することを特徴とする請求項１に記載の記録装置。
【請求項４】
前記排紙ガイド面の幅は、前記記録媒体の幅よりも狭いことを特徴とする請求項1に記載の記録装置。
【請求項５】
前記凹部は、前記排紙側端部の前記排紙経路に沿った方向と直交する方向に複数設けられていることを特徴とする請求項１に記載の記録装置。
【請求項６】
前記排紙ガイド面は、前記記録媒体が排紙される排紙口側から前記排紙ガイド面を支持する支持部と、前記排紙側端部において連結されていることを特徴とする請求項１に記載の記録装置。
【請求項７】
前記排紙ガイド部は、排紙される前記記録媒体の紙面に対して前記排紙ガイド面が上側から略当接するように配されることを特徴とする請求項１に記載の記録装置。
【請求項８】
印刷ヘッドと前記排紙ガイド部との間に、前記記録媒体を排紙する排紙ローラーを備えることを特徴とする請求項１に記載の記録装置。
【請求項９】
前記排紙ローラーと前記排紙ガイド部との間に、前記記録媒体を切断するカッター機構を備えることを特徴とする請求項８に記載の記録装置。
【発明の詳細な説明】
【技術分野】
【０００１】
本発明は、記録装置に関し、特にロール状に巻き取られた記録媒体を引き出して記録する記録装置に関する。
【背景技術】
【０００２】
例えば、ＰＯＳ（Ｐｏｉｎｔ−Ｏｆ−Ｓａｌｅ）システムなどでは、ロール状に巻き取られた記録紙を引き出して印刷するレシートプリンターが用いられている。このようなプリンターとしては、例えば、プリンター内部のロール紙収納部に装填されているロール紙を複数のローラーを介して引き出してインクジェットヘッドによって表面に印刷を行うものが知られている（例えば、特許文献１参照）。このプリンターでは、一連の印刷動作を終えて記録紙が排出口から排出されると記録紙の搬送が一時的に停止し、記録紙の排出された部分が切断装置によって所定長さのレシートとして切り離される。
【先行技術文献】
【特許文献】
【０００３】
【特許文献１】特開２００７−８３４７８号公報
【発明の概要】
【発明が解決しようとする課題】
【０００４】
ところで、ユーザーが排出中の記録紙を幅方向に引っ張ったり、切り離そうとしてめくり上げると、記録紙が排出口の側方に押し付けられることによって記録紙に皺や弛みが生じることがある。このような皺や弛みが生じると、排出口につながる排紙経路内にて紙ジャムが生じたり、切断装置による記録紙の切断不良が生じたりするおそれがあった。
【課題を解決するための手段】
【０００５】
本発明の目的は、上記課題に対して、紙ジャムや切断不良などが生じにくく、円滑に記録媒体を排出可能な記録装置を提供することにあり、その目的は、ロール状に巻き取られた記録媒体を引き出して記録する記録装置であって、記録された前記記録媒体の排紙経路を形成する排紙ガイド部を備え、前記排紙ガイド部は、前記記録媒体の紙面と対向する排紙ガイド面を有し、前記排紙ガイド面の排紙側端部には、凹部が設けられていることを特徴とする記録装置によって達成される。
【０００６】
このような記録装置によれば、記録媒体が幅方向に引っ張られたときに記録媒体に生じた皺や弛みなどが凹部に引っ掛かるので記録媒体の幅方向への移動が規制される。したがって、紙ジャムや切断不良などが生じにくい。
【０００７】
また、本発明の記録装置において、前記凹部は、前記排紙側端部から前記排紙ガイド面の前記排紙経路に沿って延びる溝状に形成されていることが好ましい。
また、本発明の記録装置において、前記排紙側端部は、前記排紙経路に沿った方向と直交する方向の両側に切欠部を有することが好ましい。
これにより、記録媒体がねじられるように引っ張られたときに記録媒体の端部が切欠部に引っ掛かるので記録媒体の幅方向への移動が規制される。したがって、紙ジャムや切断不良などが更に生じにくくなる。
【０００８】
また、本発明の記録装置において、前記排紙ガイド面の幅は、前記記録媒体の幅よりも狭いことが好ましい。
これにより、記録媒体がねじられるように引っ張られたときに記録媒体の端部が切欠部に引っ掛かることで記録媒体の幅方向への移動が規制される。したがって、紙ジャムや切断不良などが更に生じにくくなる。
【０００９】
また、本発明の記録装置において、前記凹部は、前記排紙側端部の前記排紙経路に沿った方向と直交する方向に複数設けられていることが好ましい。
これにより、記録媒体が幅方向に引っ張られたときに記録媒体に生じた皺や弛みなどが凹部に引っ掛かり易くなるので記録媒体が幅方向へよりずれにくくなり、その結果、紙ジャムや切断不良などが更に生じにくくなる。
また、前記排紙ガイド面は、前記記録媒体が排紙される排紙口側から前記排紙ガイド面を支持する支持部と、前記排紙側端部において連結されていることが好ましい。
【００１０】
また、本発明の記録装置において、前記排紙ガイド部は、排紙される前記記録媒体の紙面に対して前記排紙ガイド面が上側から略当接するように配されることが好ましい。
これにより、記録媒体が幅方向に引っ張られたときに記録媒体に生じた皺や弛みなどが凹部に引っ掛かり易くなるので記録媒体が幅方向へよりずれにくくなり、その結果、紙ジャムや切断不良などが更に生じにくくなる。
また、本発明の記録装置において、印刷ヘッドと前記排紙ガイド部との間に、前記記録媒体を排紙する排紙ローラーを備えることが好ましい。
また、本発明の記録装置において、前記排紙ローラーと前記排紙ガイド部との間に、前記記録媒体を切断するカッター機構を備える事が好ましい。
【図面の簡単な説明】
【００１１】
【図１】本発明の記録装置の一実施形態に係るインクジェットプリンター１の外観斜視図である。
【図２】インクジェットプリンター１の縦断面図である。
【図３】ロール紙カバー３を開いた状態のインクジェットプリンター１の外観斜視図である。
【図４】図２における排紙口９付近を拡大した図である。
【図５】上側排紙ガイド部５０の斜視図である。
【図６】上側排紙ガイド部５０の正面図である。
【図７】図（Ａ）は、図６のＡ−Ａ断面における上側排紙ガイド部５０の断面図であり、図（Ｂ）は、図６のＢ−Ｂ断面における上側排紙ガイド部５０の断面図である。
【図８】図（Ａ）は、図６のＡ−Ａ断面における上側排紙ガイド部５０の別の形態の断面図であり、図（Ｂ）は、図６のＢ−Ｂ断面における上側排紙ガイド部５０の別の形態の断面図である。
【図９】排紙口９から排紙されるロール紙１１を幅方向に手で引っ張る様子を示す図である。
【図１０】排紙口９から排紙されるロール紙１１を斜め上方に手で引っ張る様子を示す図である。
【発明を実施するための形態】
【００１２】
以下において、本発明の記録装置の一実施形態に係るインクジェットプリンター１について、図面を参照しながら説明する。なお、このインクジェットプリンター１は、本発明の記録装置の一例である。
【００１３】
図１は、インクジェットプリンター１の外観斜視図である。インクジェットプリンター１は、例えば複数種類のカラーインクを使用してロール状に巻き取られた記録用紙（以下、「ロール紙」と称する）を引き出してカラー印刷可能な装置である。なお、このロール紙は、インクジェットプリンター１による印刷対象である記録媒体の一例である。
【００１４】
図１に示すように、インクジェットプリンター１は、装置本体を覆うプリンターケース２の前面中央には、ロール紙カバー３が設けられている。そして、装置本体の前方側におけるロール紙カバー３の上部には印刷後のロール紙１１が排出される排紙口９が設けられている。
【００１５】
また、ロール紙カバー３の横には、インクカートリッジ挿入口８が設けられており、このインクカートリッジ挿入口８には、インクが充填されたインクカートリッジ４が挿入されている。また、プリンターケース２の前面には、電源スイッチ５およびフィードスイッチ６とともに、インクジェットプリンター１の様々な状態を示すインジケーターランプ７が配置されている。
【００１６】
図２は、インクジェットプリンター１の縦断面図である。また、図３は、ロール紙カバー３を開いた状態のインクジェットプリンター１の外観斜視図である。
【００１７】
図２に示すように、ロール紙１１は、巻き取られた状態で、ロール紙カバー３の内部に設けられたロール紙収容部１２に収容されている。また、ロール紙カバー３は、その上端近傍に設けられた開閉スライダー１０に指をかけて前方に引くことで、その下端を中心に前方に回動させることができる。より具体的には、開閉スライダー１０に指をかけて前方に引くと、開閉スライダー１０が前方に摺動してロックが解除される。
【００１８】
そして、この状態で、さらに開閉スライダー１０を手前に引くと、ロール紙カバー３は、その下端を中心として図１に示す状態から図３に示す状態まで回動する。このようにロール紙カバー３を回動させると、ロール紙収容部１２が開放され、ロール紙１１を投入することができる。
【００１９】
図２に示すように、インクジェットプリンター１の内部におけるロール紙収容部１２の後方には、ロール紙収容部１２に収容されたロール紙１１をシート状に引き出す引出しローラー３４が設けられている。また、この引出しローラー３４の上方には、引出しローラー３４によって引き出されたロール紙１１を挟持して搬送するメイン送りローラー３６が設けられている。
【００２０】
また、メイン送りローラー３６の後方には、引出しローラー３４から引き出されたロール紙１１が架け渡されるテンションローラー３５が設けられている。このテンションローラー３５は、メイン送りローラー３６に対するロール紙１１の張力を一定に保つように、付勢部材（図示省略）によって装置後方へ付勢されている。また、メイン送りローラー３６の前方には、ロール紙１１を挟持して排紙口９側へと搬送する排紙ローラー３７が設けられている。
【００２１】
ロール紙収容部１２に収容されたロール紙１１は、引出しローラー３４によって引き出され、テンションローラー３５、メイン送りローラー３６、および排紙ローラー３７を経て、排紙口９から排出される。ここで、ロール紙１１は、メイン送りローラー３６と排紙ローラー３７との間において、その紙面の幅方向（以下、「用紙幅方向」と称する）がインクジェットプリンター１の幅方向と略平行になるように搬送される。
【００２２】
なお、本例のインクジェットプリンター１では、少なくとも引出しローラー３４、メイン送りローラー３６、および排紙ローラー３７は、歯車またはベルトプーリー機構などの伝達機構（図示省略）を介して駆動モーター３１，３９からの駆動力を受けて回転駆動する。
【００２３】
メイン送りローラー３６と排紙ローラー３７との間におけるロール紙収容部１２の上方には、インクジェットプリンター１の幅方向に沿ってプラテン２６が設けられている。また、プラテン２６のさらに上方には、キャリッジ２２が設けられている。キャリッジ２２は、インクジェットプリンター１の幅方向に沿って延在するガイド部材２３によって当該幅方向に移動自在に支持されている。また、キャリッジ２２は、ガイド部材２３と略平行に配されている無端ベルト（図示省略）に固定されている。そして、キャリッジ２２は、駆動モーター２５が無端ベルトを駆動するのに伴って、メイン送りローラー３６と排紙ローラー３７との間を搬送されるロール紙１１の用紙幅方向に沿って往復移動する。
【００２４】
キャリッジ２２の下面には、インクジェットヘッド２１が設けられている。また、キャリッジ２２とインクカートリッジ４とは、可撓性を有するインクチューブ２７で接続されている。そして、インクカートリッジ４に充填されたインクは、このインクチューブ２７を介してキャリッジ２２のインクジェットヘッド２１へと供給される。
【００２５】
インクジェットプリンター１の幅方向の一方側は、往復移動するキャリッジ２２の待機位置（ホームポジション）となっている。この待機位置の下方には、キャリッジ２２の下面に露出するインクジェットヘッド２１の各インクノズル内のインクを吸引するインク吸引機構（図示省略）が設けられている。そして、上記のインクジェットプリンター１では、往復移動するキャリッジ２２のインクジェットヘッド２１からロール紙１１の引き出された一部に対してインクを吐出して印刷処理を行う。
【００２６】
図４は、図２における排紙口９付近を拡大した図である。図４に示すように、排紙ローラー３７から排紙口９に至るロール紙１１の搬送路上には、カッター機構３８が設けられている。このカッター機構３８は、上方側に設けられた固定刃３８ａと、下方側に設けられた可動刃３８ｂとを有している。カッター機構３８は、可動刃３８ｂが駆動モーター３９によって上下に駆動されることにより、固定刃３８ａとの間でロール紙１１を切断することができる。
【００２７】
カッター機構３８のさらに排紙口９側には、排紙ローラー３７によって下流側へ搬送されるロール紙１１を排紙口９へと案内するための下側排紙ガイド部４０および上側排紙ガイド部５０が設けられている。
【００２８】
下側排紙ガイド部４０は、例えば硬質樹脂により一体成型された部材であり、排紙ローラー３７と排紙口９の間においてロール紙１１の搬送方向に沿って設けられた下側排紙ガイド面４１と、排紙口９から排紙されたロール紙１１を下側から支持する傾斜面４２とを有する。また、下側排紙ガイド部４０における傾斜面４２の下側には、ロール紙カバー３を開閉する際にユーザーが指を引っかける把持部４７が設けられている。ユーザーは、この把持部４７へ指を引っかけつつ下側排紙ガイド部４０を把持することで、ロール紙カバー３を開くことができる。
【００２９】
上側排紙ガイド部５０は、例えば略Ｌ字型の板状部材である。そして、上側排紙ガイド部５０は、排紙ローラー３７と排紙口９の間においてロール紙１１の搬送方向に沿って設けられた上側排紙ガイド面５１と、排紙口９側から上側排紙ガイド面５１を支持する支持部５４とを有する。上側排紙ガイド面５１は、排紙口９側の端部である排紙側端部５５を有している。また、上側排紙ガイド面５１と支持部５４は、排紙側端部５５において、連結されている。上側排紙ガイド面５１は、下側排紙ガイド部４０における下側排紙ガイド面４１の上方に配され、下側排紙ガイド面４１と対向する。ロール紙１１は、下側排紙ガイド部４０の下側排紙ガイド面４１と上側排紙ガイド部５０の上側排紙ガイド面５１によって形成される排紙経路に沿って、排紙ローラー３７から排紙口９へと搬送されて排紙口９から排紙される。
【００３０】
特に本例のインクジェットプリンター１では、上側排紙ガイド部５０は、排紙口９の手前側（排紙ローラー３７側）を搬送されるロール紙１１の紙面と上側排紙ガイド面５１が略当接するように設けられている。なお、上側排紙ガイド部５０および上側排紙ガイド面５１は、本発明における排紙ガイド部および排紙ガイド面の一例である。
【００３１】
図５は、上側排紙ガイド部５０の斜視図である。また、図６は、上側排紙ガイド部５０の正面図である。また、図７（Ａ）は、上側排紙ガイド部５０の図６のＡ−Ａ断面における断面図であり、図７（Ｂ）は、上側排紙ガイド部５０の図６のＢ−Ｂ断面における断面図である。図８（Ａ）は、別の形態の上側排紙ガイド部５０の図６のＡ−Ａ断面における断面図であり、図８（Ｂ）は、別の形態の上側排紙ガイド部５０の図６のＢ−Ｂ断面における断面図である。また、図９は、排紙口９から排紙されるロール紙１１を幅方向に手で引っ張る様子を示す図であり、図１０は、排紙口９から排紙されるロール紙１１を斜め上方に手で引っ張る様子を示す図である。
【００３２】
図５から図７に示すように、上側排紙ガイド部５０の排紙側端部５５には、複数の凹部５２が設けられている。これら複数の凹部５２は、例えばプレス加工などの方法により排紙側端部５５の肉厚が薄くなることがないように形成されているので、凹部５２を設けることによって上側排紙ガイド部５０の強度が低下することがない。また、凹部５２は、その周縁にバリ等が発生することがないように形成され、また、ロール紙１１の搬送を妨げるような凸部などが存在しない。したがって、上側排紙ガイド部５０にこのような凹部５２が複数設けられているものの、ロール紙１１を排紙方向（ロール紙１１の搬送方向）にスムーズに搬送することができる。
また、図８（Ａ）、図８（Ｂ）に示すように、これら複数の凹部５２は、例えば、それぞれが、上側排紙ガイド面５１上において排紙側端部５５から排紙経路に沿った方向に略直線状に形成された溝であってもよい。
【００３３】
上側排紙ガイド面５１にこのような凹部５２を設けることにより、例えば図９に示すように、ユーザーによってロール紙１１が幅方向に引っ張られたときにロール紙１１に生じた湾曲部（図９において「Ｘ」を付して示した部分（皺）が凹部５２に引っ掛かるので、ロール紙１１の幅方向への移動を規制することができる。また、図５および図６に示すように、上側排紙ガイド面５１に凹部５２が複数設けられているので、１つだけ設けた場合と比べてロール紙１１に生じた皺や弛みなどの湾曲部が凹部５２に引っ掛かり易い。また、本例では、上側排紙ガイド面５１が、排紙ローラー３７から搬送されてきたロール紙１１の紙面の高さよりも少し高い位置にくるように上側排紙ガイド部５０が設けられており、ロール紙１１は、例えば、上側排紙ガイド面５１と触れる程度に当接する。したがって、ロール紙１１の紙面と上側排紙ガイド面５１が離れている場合と比べて、ロール紙１１に生じた上記の皺や弛みなどが凹部５２に引っ掛かり易い。
【００３４】
また、図５および図６に示すように、上側排紙ガイド部５０の両側、すなわち、排紙経路に沿った方向と直交する方向における排紙側端部５５の両側には、切欠部５３が設けられている。また、本例の上側排紙ガイド部５０では、図９および図１０に示すように、一方の切欠部５３の内側から他方の切欠部５３の内側までの幅、すなわち、切欠部５３が設けられた排紙側端部５５の幅は、ロール紙１１の幅よりも狭い。また、切欠部５３は、排紙側端部５５の両側から、排紙経路に沿って、上側排紙ガイド面５１の両側に延びた形状であってもよい。
【００３５】
したがって、例えば図１０に示すように、ユーザーによってロール紙１１がねじられるように引っ張られたときにロール紙１１における折れ曲がった端部（図１０において「Ｙ」を付して示した部分）が切欠部５３に引っ掛かるので、ロール紙１１の幅方向への移動を規制することができる。
【００３６】
このように、本例のインクジェットプリンター１では、排紙口９から排紙されるロール紙１１が幅方向に手で引っ張られたり、あるいは斜め上方に手で引っ張られた場合でも、上側排紙ガイド部５０に設けられた凹部５２および切欠部５３によってロール紙１１の幅方向への移動が規制されるので、ロール紙１１が幅方向の一方に折れ曲がった状態で寄せられることに起因する紙ジャムや切断不良などが生じにくい。
【００３７】
本例のインクジェットプリンター１は、コンピューターに接続されて当該コンピューターから受け取ったイメージデータを印刷するものであってもよいが、当該コンピューターの本体、ＣＲＴ等の表示装置、入力装置、フレキシブルディスクドライブ装置、およびＣＤ−ＲＯＭドライブ装置がそれぞれ有する機能の一部を有してもよい。例えば、インクジェットプリンター１が、画像処理を行う画像処理部、各種の表示を行う表示部、および、デジタルカメラ等により撮影された画像データを記録した記録メディアを着脱するための記録メディア着脱部を有する構成としてもよい。
【００３８】
また、本発明の実施形態としてロール紙１１に印刷するインクジェットプリンター１を例示したが、記録媒体に対して記録できる記録装置であれば、これに限られない。本発明の特徴は、例えば、モノクロインクジェットプリンター、レーザープリンター、およびサーマルプリンターなどの各種のプリンター、ファクシミリ、あるいは磁気テープなどの記録媒体に電磁的にデータを記録させる記録装置等に適用することもできる。
【符号の説明】
【００３９】
１…インクジェットプリンター（記録装置）、２…プリンターケース、３…ロール紙カバー、４…インクカートリッジ、５…電源スイッチ、６…フィードスイッチ、７…インジケーターランプ、８…インクカートリッジ挿入口、９…排紙口、１０…開閉スライダー、１１…ロール紙（記録媒体）、１２…ロール紙収容部、２１…インクジェットヘッド、２２…キャリッジ、２３…ガイド部材、２５…駆動モーター、２６…プラテン、２７…インクチューブ、３１…駆動モーター、３４…引出しローラー、３５…テンションローラー、３６…メイン送りローラー、３７…排紙ローラー、３８…カッター機構、３９…駆動モーター、４０…下側排紙ガイド部、４１…下側排紙ガイド面、４２…傾斜面、４３…段差部、４７…把持部、５０…上側排紙ガイド部（排紙ガイド部）、５１…上側排紙ガイド面（排紙ガイド面）、５２…凹部、５３…切欠部、５４…支持部、５５…排紙側端部
【図１】
2011219271.tif 000003
【図２】
2011219271.tif 000004
【図３】
2011219271.tif 000005
【図４】
2011219271.tif 000006
【図５】
2011219271.tif 000007
【図６】
2011219271.tif 000008
【図７】
2011219271.tif 000009
【図８】
2011219271.tif 000010
【図９】
2011219271.tif 000011
【図１０】
2011219271.tif 000012